(57)【要約】【課題】側方脱臼の適切な治療方法を習得できる歯科模型を提供すること。【解決手段】歯科模型１は、模型歯１０が保持される上顎部２０と、上顎部２０に凹状に形成され、保持される模型歯１０が収容される凹部３１と、凹部３１の底面に配置され、模型歯１０の歯根部１２を収容して正常位置の歯の状態を再現する第１収容部３２と、凹部３１の底面であって、第１収容部３２に隣接配置され、模型歯１０が第１収容部３２側に傾いた状態で歯根部１２を収容して正常位置から外れた歯の状態（側方脱臼状態）を再現する第２収容部３３と、凹部３１の底面であって、第１収容部３２と前記第２収容部３３との間に配置される壁部３４と、を備える。【選択図】図５
2016004186.tif 000002
【特許請求の範囲】
【請求項１】
模型歯が保持される歯台と、
前記歯台に凹状に形成され、保持される前記模型歯が収容される模型歯収容部と、
前記模型歯収容部の底面に配置され、前記模型歯における歯根に相当する部分である歯根部を収容して正常位置の歯の状態を再現する第１収容部と、
前記模型歯収容部の底面であって、前記第１収容部に隣接配置され、前記第１収容部と隣接する方向の一側に前記模型歯が傾いた状態で前記歯根部を収容して前記正常位置から外れた歯の状態を再現する第２収容部と、
前記模型歯収容部の底面であって、前記第１収容部と前記第２収容部との間に配置される突出部と、
を備える歯科模型。
【請求項２】
弾性部材で構成され、少なくとも前記模型歯収容部に収容された前記模型歯の表面の一部を覆う弾性歯肉部を更に備える請求項１に記載の歯科模型。
【請求項３】
前記模型歯は、歯槽骨を再現する歯槽骨部を備える請求項１又は２に記載の歯科模型。
【発明の詳細な説明】
【技術分野】
【０００１】
本発明は、歯科模型に関する。
【背景技術】
【０００２】
従来から、歯科模型を用いて歯科診療の実習や研修等が行われている。この種の歯科模型を開示するものとして特許文献１がある。特許文献１に開示される歯科模型は、切削技術の向上等のために用いられるものである。
【先行技術文献】
【特許文献】
【０００３】
【特許文献１】特開２００７−３２８０８３号公報
【発明の概要】
【発明が解決しようとする課題】
【０００４】
日本小児歯科学会は、歯の外傷のうち脱臼は乳歯で約６５％、永久歯は約５０％にみられ、初期対応が予後に大きく影響すると報告している。脱臼は、その状態によって「完全脱臼」、「側方脱臼」、「埋入（迷入）」等がある。そこで、歯の「完全脱臼」、「側方脱臼」、「埋入（迷入）」について、「状態」及び「具体的な対応法」を説明できるか、また「卒前教育における歯の外傷実習の有無」、「歯の外傷の模型実習の必要性」と「必要と思う場合の実習時期」等を調査項目として日本歯科大学附属病院臨床研修歯科医師（平成２３年度：９１名、２４年度：１０６名）を対象とし、本年度臨床研修オリエンテーション期間中に質問用紙を用いて無記名方式で行った。その結果、歯の「完全脱臼」、「側方脱臼」、「埋入」の「状態を説明できる」はそれぞれ６７％、１３％、６０％で、「対応法を説明できる」はそれぞれ５５％、８％、４７％であった。また「歯の外傷の模型実習が必要」は８０％で「必要と思う場合の実習時期」については学生時（５３％）、研修医時（４３％）の順に多かったが、各項目で研修年度間に有意差はなかった。本調査より、研修歯科医師は側方脱臼に対する状態、対応法に関する知識が、完全脱臼、埋入に比べ有意に低く、模型実習の必要性を認識している事がわかった。
【０００５】
側方脱臼は、外見状は歯が傾いているだけに見えるため、単純に引き起こすことで歯を正常な位置に戻そうと考えてしまう場合がある。しかし、歯槽骨の骨折を伴う側方脱臼は、側方脱臼受傷直後の歯肉の状態及び変位した歯、歯槽骨の状態を理解していなければ、歯を適切な位置に戻すことができないおそれがある。しかし、従来の歯科模型には、側方脱臼の状態を理解し、その理解を施術に反映するという観点で改善の余地があった。
【０００６】
本発明は、側方脱臼の適切な治療方法を習得できる歯科模型を提供することを目的とする。
【課題を解決するための手段】
【０００７】
本発明は、模型歯が保持される歯台と、前記歯台に凹状に形成され、保持される前記模型歯が収容される模型歯収容部と、前記模型歯収容部の底面に配置され、前記模型歯における歯根に相当する部分である歯根部を収容して正常位置の歯の状態を再現する第１収容部と、前記模型歯収容部の底面であって、前記第１収容部に隣接配置され、前記第１収容部と隣接する方向の一側に前記模型歯が傾いた状態で前記歯根部を収容して前記正常位置から外れた歯の状態を再現する第２収容部と、前記模型歯収容部の底面であって、前記第１収容部と前記第２収容部との間に配置される突出部と、を備える歯科模型に関する。
【０００８】
歯科模型は、弾性部材で構成され、少なくとも前記模型歯収容部に収容された前記模型歯の表面の一部を覆う弾性歯肉部を更に備えることが好ましい。
【０００９】
前記模型歯は、歯槽骨を再現する歯槽骨部を備えることが好ましい。
【発明の効果】
【００１０】
本発明の歯科模型によれば、側方脱臼の適切な治療方法を習得できる。
【図面の簡単な説明】
【００１１】
【図１】本発明の一実施形態である歯科模型を示す斜視図である。
【図２】歯科模型の分解斜視図である。
【図３】歯科模型の脱臼再現部の拡大平面図である。
【図４】歯科模型から模型歯及び弾性歯肉部を取り外した状態の拡大平面図である。
【図５】模型歯が側方脱臼位置にある状態を模式的に示す断面図である。
【図６】模型歯が正常位置にある状態を模式的に示す断面図である。
【図７】模型歯を側方脱臼位置から正常位置に移動させる様子を示す斜視図である。
【図８】連結部材が取り付けられた歯科模型を示す斜視図である。
【発明を実施するための形態】
【００１２】
以下、本発明の歯科模型の好ましい一実施形態について、図面を参照しながら説明する。本実施形態では、本発明を適用した歯科模型の一例として上顎の前歯に側方脱臼が生じた場合を再現する歯科模型を説明する。図１は、本発明の一実施形態である歯科模型１を示す斜視図である。図１では、前歯が側方脱臼した状態を再現している。図２は、歯科模型１の分解斜視図である。なお、図面には、上顎を下顎側から見た様子が示されている。また、以下の説明では、上顎における歯の根元側を上側とし、歯の先端側を下側として上下方向を説明する。
【００１３】
まず、本実施形態の歯科模型１の全体構成について説明する。図１に示すように、本実施形態の歯科模型１は、模型歯１０と、歯台としての上顎部２０と、弾性歯肉部４０と、を備える。
【００１４】
模型歯１０は、脱臼した歯を再現するためのものであり、上顎部２０に対して着脱可能な独立した部材として構成される。図２に示すように、模型歯１０は、歯の歯冠に相当する歯冠部１１と、歯の歯根に相当する歯根部１２と、歯槽骨に相当する歯槽骨部１３と、を備える。なお、歯槽骨部１３は、模型歯１０が後述の脱臼再現部３０に収容された状態での歯槽骨の状態を再現するものである。
【００１５】
上顎部２０は、上顎の歯肉部分と歯列を再現する顎模型である。上顎部２０は、本体側歯肉部２１と、第１歯列２２と、第２歯列２３と、脱臼再現部３０と、を備える。
【００１６】
本体側歯肉部２１は、歯肉を再現する部分である。この本体側歯肉部２１の下部（図面においては上側の部分）に、第１歯列２２、第２歯列２３及び脱臼再現部３０が配置される。
【００１７】
第１歯列２２は、上顎の一側（図面において左側）の歯列を再現するものであり、本体側歯肉部２１と一体的に形成されている。第２歯列２３は、上顎の他側（図面において右側）の歯列を再現するものであり、第１歯列２２と同様に、本体側歯肉部２１と一体的に形成されている。
【００１８】
脱臼再現部３０は、模型歯１０を収容、保持するためのものであり、側方脱臼の状態を再現するものである。本実施形態の脱臼再現部３０は、第１歯列２２と第２歯列２３の間に配置される。より具体的には、第１歯列２２のうち最も前側の第１隣接歯２２０と、第２歯列２３のうち最も前側の第２隣接歯２３０と、の間に脱臼再現部３０が配置されている。上述のように、本実施形態の脱臼再現部３０は、本体側歯肉部２１の前部に位置し、前歯が側方脱臼した状態を再現可能となっている。
【００１９】
図２に示すように、脱臼再現部３０は、模型歯収容部としての凹部３１と、第１収容部３２と、第２収容部３３と、突出部としての壁部３４と、弾性歯肉部４０と、弾性部収容部３５と、差込部収容部３６と、を備える。次に、脱臼再現部３０の詳細について説明する。図３は、歯科模型１の脱臼再現部３０の拡大平面図である。図３では、模型歯１０と脱臼再現部３０によって側方脱臼の状態が再現されている。図４は、歯科模型１から模型歯１０及び弾性歯肉部４０を取り外した状態の拡大平面図である。
【００２０】
凹部３１は、上顎部２０の本体側歯肉部２１の前側の下部（図面においては上側の部分）に形成される。図２及び図４に示すように、凹部３１は、下方（図面においては上方）及び前方が開口する切欠き状に形成される。この凹部３１に模型歯１０が収容される。
【００２１】
第１収容部３２は、正常位置の歯の状態を再現するように、凹部３１に収容された模型歯１０を支持する。図４に示すように、第１収容部３２は、凹部３１の底面であって、凹部３１における奥側（歯の裏面側）に配置される。第１収容部３２は、模型歯１０の歯根部１２の底面の形状に応じて形成される。本実施形態では、第１収容部３２は、平面視において、角が丸められた略矩形状の凹部として形成されている。この第１収容部３２に、模型歯１０の歯根部１２の底面側が収容されることで、正常な歯の状態が再現される。
【００２２】
第２収容部３３は、側方脱臼した歯の状態を再現するように、凹部３１に収容された模型歯１０を支持する。第２収容部３３は、凹部３１の底面であって、凹部３１における上顎部２０の前側（歯の表面側）に配置され、第１収容部３２と隣接している。従って、第２収容部３３は、第１収容部３２の前側に位置する。第２収容部３３は、模型歯１０の歯根部１２の底面の形状に応じて形成される。本実施形態では、第２収容部３３は、平面視において、角が丸められた略矩形状の凹部として形成されている。この第２収容部３３に、模型歯１０の歯根部１２の底面側が収容されることで、側方脱臼の歯の状態が再現される。
【００２３】
壁部３４は、第１収容部３２と第２収容部３３との間に配置される。図５及び図６に示すように、凹部３１の底面から突出するように形成される。この壁部３４によって、第１収容部３２と第２収容部３３とが隔てられている。本実施形態の壁部３４は、第２収容部３３を囲うように形成されている。
【００２４】
弾性歯肉部４０は、脱臼再現部３０周囲の歯肉の粘膜の状態を再現するものであり、弾性部材で構成される。図２に示すように、本実施形態の弾性歯肉部４０は、前側歯肉部４１と、模型歯差込部４２と、を備える。
【００２５】
前側歯肉部４１は、脱臼再現部３０の前面に位置し、脱臼再現部３０に収容された模型歯１０、第１隣接歯２２０及び第２隣接歯２３０の表面側の一部を覆うように構成される。前側歯肉部４１は、その表面は歯肉を再現するように波状に形成されており、その裏面（上顎部２０との接触面）は、上顎部２０の弾性部収容部３５の形状に対応している。
【００２６】
模型歯差込部４２は、前側歯肉部４１の下部（図面においては上側の部分）に貫通状の孔として形成される。この模型歯差込部４２に模型歯１０が差し込まれる。この状態では、模型歯差込部４２は、模型歯１０の歯冠部１１の周囲を覆っている。本実施形態の模型歯差込部４２は、平面視において、模型歯１０の裏面側の厚みが、模型歯１０と第１隣接歯２２０との間の厚み及び模型歯１０と第２隣接歯２３０との間の厚みに比べ、厚くなるように形成されている。
【００２７】
弾性部収容部３５は、前側歯肉部４１を上顎部２０に固定するためのものである。弾性部収容部３５は、上顎部２０の前側の上部（図面においては下側の部分）に形成され、凹部３１の前側（収容される模型歯１０の表面側）に位置する。また、弾性部収容部３５は、弾性歯肉部４０の底部の形状に応じて形成されている。この弾性部収容部３５に弾性歯肉部４０が嵌合することで、上顎部２０に弾性歯肉部４０が固定される。
【００２８】
差込部収容部３６は、弾性歯肉部４０の模型歯差込部４２を収容するものであり、上顎部２０における凹部３１の下方（図面においては上方）であって、凹部３１よりも上顎部２０の奥側に配置される。差込部収容部３６は、弾性歯肉部４０の模型歯差込部４２の形状に応じて形成されており、この差込部収容部３６に模型歯差込部４２が収容されるかたちで嵌合される。本実施形態の歯科模型１は、弾性歯肉部４０が上顎部２０に嵌合された状態で模型歯１０の歯根部１２側が模型歯差込部４２に差し込まれることにより、側方脱臼の状態と正常な状態とを模型歯１０と脱臼再現部３０によって再現可能になっている。
【００２９】
次に、脱臼再現部３０に収容された模型歯１０が、側方脱臼位置にあるときと、正常位置にあるときと、について説明する。図５は、模型歯１０が側方脱臼位置にある状態を模式的に示す断面図である。図６は、模型歯１０が正常位置にある状態を模式的に示す断面図である。図７は、模型歯１０を側方脱臼位置から正常位置に戻す様子を示す斜視図である。
【００３０】
図５に示すように、模型歯１０の歯根部１２の底面側が第２収容部３３に収容された状態を側方脱臼位置とする。側方脱臼位置では、模型歯１０の歯冠部１１側が、第１収容部３２側（歯の裏面側）に傾いている状態にある。この状態では、第１隣接歯２２０及び第２隣接歯２３０に比べても、模型歯１０は奥側に傾いており、歯の歯冠が奥側に傾いた側方脱臼の状態が再現される。
【００３１】
図６に示すように、模型歯１０の歯根部１２の底面側が第１収容部３２に収容された状態を正常位置とする。正常位置では、模型歯１０の歯冠部１１側が、側方脱臼位置の状態に比べ、前側（歯の表面側）に傾いている状態にある。この状態では、第１隣接歯２２０及び第２隣接歯２３０と、模型歯１０とは、略同じ向きを向いており、正常な歯の状態が再現される。
【００３２】
本実施形態の歯科模型１を用いて歯を側方脱臼位置から正常位置に戻す手技の練習について説明する。まず、脱臼再現部３０に収容された模型歯１０を側方脱臼位置に置く（図１及び図５の状態）。図７に示すように、前側歯肉部４１の模型歯１０の表面を覆う部分に片方の手の指をあてて、模型歯１０が壁部３４を乗り越えるように（図５の矢印方向）に力を加えて壁部３４を乗り越えさせる（図５の鎖線の状態）。それと共に、もう片方の手で模型歯１０の歯冠部１１を前側に引き起こして模型歯１０の歯根部１２の底面側を第１収容部３２に移動させる（図６の状態）。これにより、歯を側方脱臼位置から正常位置に戻す一連の作業を体感的に理解できる。
【００３３】
実際の施術においても、壁部３４に相当する部分（折れた歯槽骨の根元部分）が存在するため、歯を前側に引き起こそうとすると、壁部３４に相当する部分に歯の歯根側の底部が引っ掛かってしまうことがある。この状態で無理に歯を前側に引き起こすと、正常な位置に歯が戻らなくなってしまうおそれがある。しかし、側方脱臼の外見状は歯が傾いているだけに見えるため、歯を無理に引き起こそうとしてしまうことが多い。しかし、本実施形態の歯科模型１を用いて側方脱臼の整復を学ぶことによって、歯槽骨の状態（壁部３４に相当する部分）が容易に理解できるようになり、適切な施術方法を体感的に習得することができるのである。
【００３４】
また、本実施形態では、指で押す部分である弾性歯肉部４０が弾性部材で構成されており、模型歯１０には歯槽骨に相当する歯槽骨部１３が配置されているので、実際の施術の再現性が高くなっている。より具体的には、模型歯１０を側方脱臼位置から正常位置に戻す作業において、指で弾性歯肉部４０を押したときに、模型歯１０の周囲の弾性歯肉部４０が弾性変形することによって、実際の歯肉の弾性が再現されている。特に、模型歯差込部４２は、模型歯１０の裏面側の厚みが他の部分よりも厚く形成されているので、大きな力が加わったとしてもその厚み部分の弾性変形によって実際の感触を良好に再現できる。また、弾性歯肉部４０と模型歯１０の歯根部１２との間に位置する歯槽骨部１３によって、歯肉を押したときに指に伝わる感触についても良好に再現されている。
【００３５】
なお、本実施形態の歯科模型１に連結部材を取り付けることも可能である。次に、本実施形態の歯科模型１に連結部材５０を取り付けたものについて説明する。図８は、連結部材５０が取り付けられた歯科模型１を示す斜視図である。図８では、模型歯１０が正常位置にある状態で連結部材５０によって上顎部２０に連結されている。図８に示すように、連結部材５０は、模型歯１０、第１隣接歯２２０及び第２隣接歯２３０を連結するものである。本実施形態では、模型歯１０、第１隣接歯２２０及び第２隣接歯２３０は、その表面が連結部材５０によって適宜の方法で緩やかに連結されている。これにより、施術後の連結部材５０による連結状態を再現することができる。また、連結部材５０に連結されていることにより、模型歯１０が上顎部２０から外れて紛失してしまう事態も防止されている。
【００３６】
以上、説明した本実施形態の歯科模型１によれば以下の効果を奏する。
本実施形態の歯科模型１は、模型歯１０が保持される上顎部２０と、上顎部２０に凹状に形成され、保持される模型歯１０が収容される凹部３１と、凹部３１の底面に配置され、模型歯１０の歯根部１２を収容して正常位置の歯の状態を再現する第１収容部３２と、凹部３１の底面であって、第１収容部３２に隣接配置され、模型歯１０が第１収容部３２側に傾いた状態で歯根部１２を収容して正常位置から外れた歯の状態（側方脱臼状態）を再現する第２収容部３３と、凹部３１の底面であって、第１収容部３２と前記第２収容部３３との間に配置される壁部３４と、を備える。
【００３７】
これにより、模型歯１０を用いて正常位置の歯の状態と正常位置から外れた歯の状態（側方脱臼の状態）を再現することができる。また、第１収容部３２と第２収容部３３の間に配置される壁部３４によって、正常位置から外れた歯を正常位置に戻すときに歯根側で干渉するおそれのある歯槽骨の根元部分が再現されているので、側方脱臼状態における変位した歯、歯槽骨の状態を歯科模型１の使用者に正確に理解させることができると共に、施術時に壁部３４に相当する部分を乗り越えさせて正常位置に戻す一連の施術方法を体感的に習得させることができる。
【００３８】
歯科模型１は、弾性部材で構成され、少なくとも凹部３１に収容された模型歯１０の表面の一部（歯根部１２側）を覆う弾性歯肉部４０を更に備える。
【００３９】
これにより、歯肉の状態をより現実に即して再現することができ、より体感的に側方脱臼の適切な施術方法を習得させることができる。
【００４０】
模型歯１０は、歯槽骨を再現する歯槽骨部１３を備える。
【００４１】
これにより、骨折した歯槽骨を再現でき、側方脱臼状態から正常位置に戻す施術の理解をより適切にすることができる。
【００４２】
以上、本発明の歯科模型１の好ましい一実施形態について説明したが、本発明は、上述の実施形態に制限されるものではなく、適宜変更が可能である。
【００４３】
上記実施形態の模型歯１０は、実際の歯の形状を概略的に再現したものであるが、模型歯の形状を実際の歯の形状により近いものに変更することができる。
【００４４】
上記実施形態の模型歯１０は、上顎部２０に対して着脱可能に構成されているが、模型歯１０が側方脱臼位置から正常位置に移動できる構成であればよく、模型歯が上顎部に移動可能に連結されている構成とすることもできる。
【００４５】
上記実施形態では、脱臼再現部３０は、上顎の前歯に相当する位置に配置されているが、その構成や配置場所は適宜変更することができる。例えば、上顎部２０に複数の脱臼再現部を設ける構成としてもよいし、模型歯が収容される歯台を下顎模型とすることもできる。また、上顎全体を再現するのではなく、脱臼再現部とその近傍のみの歯台とすることもできる。更に、脱臼再現部のみの歯科模型とすることもできる。また、頭部を模したマネキンに本発明を適用した顎模型を組み込んで使用することも可能である。
【００４６】
上記実施形態では、脱臼再現部３０によって、側方脱臼を再現しているが、この構成に加え、完全脱臼を再現できるように適宜構成を加えることも可能である。
【符号の説明】
【００４７】
１  歯科模型
１０  模型歯
１２  歯根部
１３  歯槽骨部
２０  上顎部（歯台）
３１  凹部（模型歯収容部）
３２  第１収容部
３３  第２収容部
３４  壁部（突出部）
４０  弾性歯肉部
【図１】
2016004186.tif 000003
【図２】
2016004186.tif 000004
【図３】
2016004186.tif 000005
【図４】
2016004186.tif 000006
【図５】
2016004186.tif 000007
【図６】
2016004186.tif 000008
【図７】
2016004186.tif 000009
【図８】
2016004186.tif 000010